(57)【要約】【課題】マスクの上端縁と鼻と両頬との間に形成される隙間を確実に塞ぐことができて、眼鏡の曇りを効果的に軽減ないし解消することができるとともに、肌触り、装着感等をさほど低下させることがないようにされた眼鏡曇り止め用薄膜片を提供する。【解決手段】口及び鼻孔を覆うマスク１０に取り付けられる眼鏡曇り止め用薄膜片２０であって、通気性を有さず、かつ、適度の弾性及び可撓性を有する素材から作製され、前記マスク１０の上部を覆うようにその外表面側に取り付けられる細長方形の外装基体部２１と、該外装基体部２１の上端から上方に突出して延設され、前記マスク１０の上端縁１０ａと鼻５と両頬６、６との間に形成される隙間Ｓ、Ｓを塞ぐべく、前記基体部２１の上端辺りから内方側に折り曲げられる弾性折曲片部２２と、を備えてなる。【選択図】図６
2009066382.tif 000002
【特許請求の範囲】
【請求項１】
口及び鼻孔を覆うマスクに取り付けられる眼鏡曇り止め用薄膜片であって、通気性を有さず、かつ、適度の弾性及び可撓性を有する素材から作製され、前記マスクの上部を覆うようにその外表面側に取り付けられる細長方形の外装基体部と、該外装基体部の上端から上方に突出して延設され、前記マスクの上端縁と鼻と両頬との間に形成される隙間を塞ぐべく、前記基体部の上端辺りから内方側に折り曲げられる弾性折曲片部と、を備えていることを特徴とする眼鏡曇り止め用薄膜片。
【請求項２】
前記弾性折曲片部の左右方向中央部に、鼻を両側から挟み得るように切り込みないしＶ字状の切欠部が形成されていることを特徴とする請求項１又は２に記載の眼鏡曇り止め用薄膜片。
【請求項３】
口及び鼻孔を覆うマスクに取り付けられる眼鏡曇り止め用薄膜片であって、通気性を有さず、かつ、適度の弾性及び可撓性を有する素材から作製され、前記マスクの上部を覆うようにその外表面側に取り付けられる細長方形の外装基体部と、該外装基体部の上端から上方に突出して延設され、前記外装基体部の上端辺りから内方側に折り曲げられる弾性折曲片部と、該弾性折曲片部と協働して前記マスクの上端縁と鼻と両頬との間に形成される隙間を塞ぐべく、前記弾性折曲片部に取り付けられた、適度の伸縮性及び形状復元力を有するスポンジ状閉塞部材と、を備えていることを特徴とする眼鏡曇り止め用薄膜片。
【請求項４】
前記スポンジ状閉塞部材は、呼気の通過を阻止できる縦幅を有し、かつ、顔面に密着し得るように、平面視外形が緩やかな連山形状ないし波形状とされていることを特徴とする請求項３に記載の眼鏡曇り止め用薄膜片。
【請求項５】
前記スポンジ状閉塞部材の裏面に接着剤もしくは両面テープが施されており、前記弾性折曲片部の左右方向中央部に、前記接着剤もしくは両面テープを外部に露出させるべく、矩形、台形、三角形、半円形状等の切欠部が形成されていることを特徴とする請求項３又は４に記載の眼鏡曇り止め用薄膜片。
【請求項６】
前記外装基体部及び弾性折曲片部は、素材として、通気性を有さないプラスチックフィルムの両面に不織布を積層してなる材料が使用されて一体に作製されていることを特徴とする請求項１から５のいずれか一項に記載の眼鏡曇り止め用薄膜片。
【請求項７】
前記弾性折曲片部の両端部に丸みが付けられていることを特徴とする請求項１から６のいずれか一項に記載の眼鏡曇り止め用薄膜片。
【請求項８】
前記外装基体部は、横幅が前記マスクの横幅と同じか、それより若干短くされ、縦幅が前記マスクの縦幅の１／４ないし１／２程度とされていることを特徴とする請求項１から７のいずれか一項に記載の眼鏡曇り止め用薄膜片。
【請求項９】
前記外装基体部の裏面に、接着剤が塗布されているか、あるいは、両面接着テープの片面が貼り付けられていることを特徴とする請求項１から８のいずれか一項に記載の眼鏡曇り止め用薄膜片。
【請求項１０】
前記外装基体部の裏面が着脱自在に接着される台紙を備えていることを特徴とする請求項９に記載の眼鏡曇り止め用薄膜片。
【請求項１１】
請求項１又は３に記載の眼鏡曇り止め用薄膜片の外装基体部がその外表面の上部に取り付けられるか、又は、一体に設けられて、前記弾性折曲片部がその上端から上方に突出せしめられていることを特徴とするマスク。
【請求項１２】
前記眼鏡曇り止め用薄膜片における外装基体部の一部ないし全部が、その外表面の上部に接着、縫合、溶着等により接合されていることを特徴とする請求項１１に記載のマスク。
【請求項１３】
請求項６に記載の眼鏡曇り止め用薄膜片の外装基体部がその外表面の上部に取り付けられるか、又は、一体に設けられたマスクであって、前記スポンジ状閉塞部材が顔面側に位置するように、前記弾性折曲片部が前記マスクの上端あたりで折り曲げられるとともに、前記スポンジ状閉塞部材の裏面に施された接着剤もしくは両面テープのうちの前記切欠部から外部に露出している部分により、前記スポンジ状閉塞部材の左右方向中央部分が前記マスクの裏面上部に接着されていることを特徴とするマスク。
【発明の詳細な説明】
【技術分野】
【０００１】
本発明は、風邪や花粉症の予防・治療等に使用されるマスクの着用時に、呼気によって眼鏡が曇ることを防ぐための眼鏡曇り止め用薄膜片及びそれを備えたマスクに関する。
【背景技術】
【０００２】
従来、一般に使用されている、口及び鼻孔を覆うマスクの着用時には、図１２に示される如くに、マスク１０の上端縁１０ａと鼻５（の左右の背翼面）と両頬６、６との間に、それらを一辺とする細長い三角形状の隙間Ｓ、Ｓが形成される。口や鼻から出た呼気（体温に近い）の一部はマスク１０の内面（裏面）に沿って上昇気流のように上昇して、前記隙間Ｓ、Ｓを通って眼鏡８に達し、呼気に含まれる水蒸気が眼鏡レンズとの温度差により眼鏡レンズ表面で結露し、眼鏡８を曇らせてしまうという問題があった。
【０００３】
このような眼鏡の曇りを軽減ないし解消すべく、従来より、マスクに関して幾つかの提案がなされている。
【０００４】
その一つとして、例えば下記特許文献１、２等に見られるように、ノーズフィッター等と称される塑性変形可能な（形状保持性のある）針金類や樹脂部材をマスクの上部に装備し、これを鼻の形に合わせて折り曲げて前記隙間Ｓ、Ｓを塞ぐようにしたものがある。
【０００５】
また、他の一つとして、例えば下記特許文献３等に見られるように、マスクの内側（裏側）上端縁に薄膜状で空気を通さないか又は空気を通し難い素材で構成した薄膜片の上縁のみを固着し、口、鼻から吐き出された呼気によって高められるマスク内（裏面側）の空気圧を利用して薄膜片を顔面に押し付けることにより、前記隙間Ｓ、Ｓを塞ぐようにしたものがある。
【０００６】
さらに、他の一つとして、例えば下記特許文献４、５等に見られるように、前記隙間Ｓ、Ｓを塞ぐべく、マスクの内側（裏側）上端部に、適度の伸縮性及び形状復元力を有するスポンジ状閉塞部材を設けたものがある。
【０００７】
【特許文献１】特開２００６−３０５２７９号公報
【特許文献２】特公昭５７ー３９７７７号公報
【特許文献３】特開２００７ー６１５８５号公報
【特許文献４】実開平５ー８６３６０号公報
【特許文献５】特開２００３ー２３６０００号公報
【発明の開示】
【発明が解決しようとする課題】
【０００８】
しかしながら、前記特許文献１、２等に所載の、ノーズフィッター等と称される塑性変形可能な針金類や樹脂部材をマスクの上部に装備したものでは、マスクの上端縁を頬に密着させることが難しく、前記隙間Ｓ、Ｓを充分に塞ぐことができず、眼鏡曇り止め機能が不十分であった。
【０００９】
また、前記特許文献３等に所載の、呼気によって高められるマスク内（裏面側）の空気圧を利用して薄膜片を顔面に押し付けるようにしたものでは、前記薄膜片により前記隙間Ｓ、Ｓが塞がれ、マスクの内側を通って上昇する呼気が眼鏡に達するのは防げるが、マスク内の空気圧が高められる結果、呼気がマスクの上部（鼻の辺り）の内側から外側へ抜けて外表面から眼鏡に達し、これを曇らせてしまう。また、呼吸に合わせて薄膜片が動き、さらに、薄膜片において呼気に含まれる水蒸気が結露する等、肌触り、装着感等が良いとは言えなかった。
【００１０】
また、前記特許文献４、５等に所載の、マスクの内側（裏側）上端部に、直接、適度の伸縮性及び形状復元性を有するスポンジ状閉塞部材を設けたものでは、マスク装着時に、一応は、スポンジ状閉塞部材が顔面（鼻と頬）に合わせて圧縮変形して密着し、前記隙間Ｓ、Ｓを塞ぐことが可能であるが、顔面の形状、大きさは人によって相当異なるものであるのに対し、スポンジ状閉塞部材の大きさ及び圧縮変形量は限られているので、人によっては、前記隙間Ｓ、Ｓを完全には塞ぐことができない場合があり、完全に塞ぎ得るように例えばスポンジ状閉塞部材を大きくすると、マスク装着感が悪くなる。言い換えれば、単にスポンジ状閉塞部材を設けるだけでは、その対応範囲が狭く、眼鏡曇り止め機能が不十分となること、あるいは、マスク装着感が悪くなることがある。
【００１１】
本発明は、上記事情に鑑みてなされたもので、その目的とするところは、マスクの上端縁と鼻と両頬との間に形成される隙間を確実に塞ぐことができて、眼鏡の曇りを効果的に軽減ないし解消することができるとともに、肌触り、装着感等をさほど低下させることがないようにされた眼鏡曇り止め用薄膜片及びそれを備えたマスクを提供することにある。
【課題を解決するための手段】
【００１２】
前記目的を達成すべく、本発明に係る眼鏡曇り止め用薄膜片の一つは、基本的には、口及び鼻孔を覆うマスクに取り付けられるもので、通気性を有さず、かつ、適度の弾性及び可撓性を有する素材から作製され、前記マスクの上部を覆うようにその外表面側に取り付けられる細長方形の外装基体部と、該外装基体部の上端から上方に突出して延設され、前記マスクの上端縁と鼻と両頬との間に形成される隙間を塞ぐべく、前記基体部の上端辺りから内方側に折り曲げられる弾性折曲片部と、を備えていることを特徴としている。
【００１３】
好ましい態様では、前記弾性折曲片部の左右方向中央部に、鼻を両側から挟み得るように切り込みないしＶ字状の切欠部が形成される。
【００１４】
本発明に係る眼鏡曇り止め用薄膜片の他の一つも、基本的には、口及び鼻孔を覆うマスクに取り付けられるもので、口及び鼻孔を覆うマスクに取り付けられる眼鏡曇り止め用薄膜片であって、通気性を有さず、かつ、適度の弾性及び可撓性を有する素材から作製され、前記マスクの上部を覆うようにその外表面側に取り付けられる細長方形の外装基体部と、該外装基体部の上端から上方に突出して延設され、前記外装基体部の上端辺りから内方側に折り曲げられる弾性折曲片部と、該弾性折曲片部と協働して前記マスクの上端縁と鼻と両頬との間に形成される隙間を塞ぐべく、前記弾性折曲片部に取り付けられた、適度の伸縮性及び形状復元力を有するスポンジ状閉塞部材と、を備えていることを特徴としている。
【００１５】
この場合、好ましい態様では、前記スポンジ状閉塞部材は、呼気の通過を阻止できる縦幅を有し、かつ、顔面に密着し得るように、平面視外形が緩やかな連山形状ないし波形状とされる。
【００１６】
他の好ましい態様では、前記スポンジ状閉塞部材の裏面に接着剤もしくは両面テープが施されており、前記弾性折曲片部の左右方向中央部に、前記接着剤もしくは両面テープを外部に露出させるべく、矩形、台形、三角形、半円形状等の切欠部が形成される。
【００１７】
前記外装基体部及び弾性折曲片部は、好ましくは、素材として、通気性を有さないプラスチックフィルムの両面に不織布を積層してなる材料が使用されて一体に作製される。
【００１８】
他の好ましい態様では、前記弾性折曲片部の両端部に丸みが付けられる。
【００１９】
前記外装基体部は、好ましくは、横幅が前記マスクの横幅と同じか、それより若干短くされ、縦幅が前記マスクの縦幅の１／４ないし１／２程度とされる。
【００２０】
他の好ましい態様では、前記外装基体部の裏面に、接着剤が塗布されているか、あるいは、両面接着テープの片面が貼り付けられる。
【００２１】
別の好ましい態様では、前記外装基体部の裏面が着脱自在に接着される台紙を備える。
【００２２】
一方、本発明に係るマスクは、前記した眼鏡曇り止め用薄膜片の外装基体部がその外表面の上部に取り付けられか、又は一体に設けられて、前記弾性折曲片部がその上端から上方に突出せしめられてなる。
【００２３】
この場合、好ましい態様では、前記眼鏡曇り止め用薄膜片における外装基体部の一部ないし全部が、その外表面の上部の両端近くに接着あるいは縫合される。
【００２４】
さらに、本発明に係るマスクの他の一つは、前記弾性折曲片部の左右方向中央部に切欠部が形成されている眼鏡曇り止め用薄膜片を用いたもので、この眼鏡曇り止め用薄膜片の外装基体部がその外表面の上部に取り付けられるか、又は、一体に設けられ、前記スポンジ状閉塞部材が顔面側に位置するように、前記弾性折曲片部が前記マスクの上端あたりで折り曲げられるとともに、前記スポンジ状閉塞部材の裏面に施された接着剤もしくは両面テープのうちの前記切欠部から外部に露出している部分により、前記スポンジ状閉塞部材の左右方向中央部分が前記マスクの裏面上部に接着されていることを特徴としている。
【発明の効果】
【００２５】
本発明に係る眼鏡曇り止め用薄膜片の一つは、例えば、その外装基体部の裏面両端部に接着剤が塗布され、この接着剤部分が台紙に貼り付けられた状態で製品として出荷される。この眼鏡曇り止め用薄膜片を使用するにあたっては、前記台紙を剥がして、外装基体部の裏面両端部をマスクの上部の両端部近くに貼り付ける。この際、外装基体部の上端とマスクの上端とを略一致させ、それらの上端から上方に突出している弾性折曲片部を内側に８０度〜１２０度程度折り曲げる。
【００２６】
このように弾性折曲片部を内側に折り曲げた状態でマスクを顔面に装着すると、弾性折曲片部の先端部が頬に当接して、該頬の輪郭形状に合わせて下向きに折り曲げられるとともに、弾性折曲片部の中央部（例えばＶ字状切欠部が形成されている）が鼻を両側から挟んだ状態となり、マスクの上端縁と鼻と両頬との間に形成される隙間が当該弾性折曲片部により略完全に閉塞される。
【００２７】
このように、弾性折曲片部により前記隙間が閉塞されると、マスクの内側を通って上昇する呼気は前記弾性折曲片部によりその上昇が阻止されるので、呼気が眼鏡に達することはない。また、吐き出された呼気によりマスク内の空気圧は高められるが、マスクの上部（鼻の辺り）は、通気性を有さない外装基体部で覆われているので、呼気がマスクの上部で内側から外側へ抜けることはなく、呼気はマスクの下部（口の辺り）で内側から外側へ抜ける。このため、マスクを抜け出た呼気は、ほとんど眼鏡に達することはない。
【００２８】
このように、本発明の眼鏡曇り止め用薄膜片をマスクに取り付けることにより、マスクの上端縁と鼻と両頬との間に形成される隙間を確実に塞ぐことができて、眼鏡の曇りを効果的に軽減ないし解消することができる。
【００２９】
また、眼鏡曇り止め用薄膜片の素材として、例えば、通気性を有さないプラスチックフィルムの両面に不織布を積層してなる材料を使用することにより、結露等による肌触り、装着感等をさほど低下させることがないようにできる。
【００３０】
さらに、眼鏡曇り止め用薄膜片によって前記隙間が閉塞されるので、外部からマスク内に花粉や塵埃が侵入するのを防止することもできる。
【００３１】
一方、本発明に係る眼鏡曇り止め用薄膜片の他の一つは、前記した眼鏡曇り止め用薄膜片と同様な構成の外装基体部及び弾性折曲片部に加えてスポンジ状閉塞部材を備え、この弾性折曲片部とスポンジ状閉塞部材とが協働して、前記マスクの上端縁と鼻と両頬との間に形成される隙間を塞ぐようにされる。
【００３２】
すなわち、本発明の眼鏡曇り止め用薄膜片においても、前記したものと同様に、例えば、外装基体部の裏面両端部をマスクの上部の両端部近くに貼り付け、その上端から上方に突出している弾性折曲片部を内側に、前記したものより大きく（１２０度以上）折り曲げる。
【００３３】
このように折り曲げると、前記スポンジ状閉塞部材が顔面側に位置し、この状態でマスクを顔面に装着すると、弾性折曲片部の折り曲げ部分の弾性（復元力）により、スポンジ状閉塞部材が顔面側に押され、スポンジ状閉塞部材の先端面部（平面視外形が緩やかな連山形状ないし波形状とされている）が顔面（鼻と両頬）に押し付けられて、該顔面の輪郭形状に合わせて若干圧縮変形せしめられる。これにより、弾性折曲片部とスポンジ状閉塞部材とで、マスクの上端縁と鼻と両頬との間に形成される隙間が完全に閉塞される。
【００３４】
このように、弾性折曲片部とスポンジ状閉塞部材により前記隙間が閉塞されると、マスクの内側を通って上昇する呼気は前記弾性折曲片部及びスポンジ状閉塞部材によりその上昇が阻止されるので、呼気が眼鏡に達することはない。また、吐き出された呼気によりマスク内の空気圧は高められるが、マスクの上部（鼻の辺り）は、通気性を有さない外装基体部で覆われているので、呼気がマスクの上部で内側から外側へ抜けることはなく、呼気はマスクの下部（口の辺り）で内側から外側へ抜ける。このため、マスクを抜け出た呼気は、ほとんど眼鏡に達することはない。
【００３５】
したがって、かかる構成の眼鏡曇り止め用薄膜片をマスクに取り付けることにより、前記したものと同様に、マスクの上端縁と鼻と両頬との間に形成される隙間を確実に塞ぐことができて、眼鏡の曇りを効果的に軽減ないし解消することができる。
【００３６】
この場合、本発明の眼鏡曇り止め用薄膜片では、弾性折曲片部とスポンジ状閉塞部材とが協働して、言い換えれば、顔面の形状、大きさに合わせて、弾性折曲片部の折り曲げ部分が弾性変形（折り曲がり角度が変化）するとともにスポンジ状閉塞部材が圧縮変形するので、スポンジ状閉塞部材のみを設けた場合に比して、顔面の形状、大きさに対する対応範囲が広くなるとともに、前記隙間閉塞の確実性が格段に向上する。
【００３７】
また、顔面に接触する部分がスポンジ状閉塞部材であることから、結露等による肌触り、装着感等をさほど低下させることがないようにできる。
【００３８】
さらに、当該眼鏡曇り止め用薄膜片によって前記隙間が閉塞されるので、外部からマスク内に花粉や塵埃が侵入するのを防止することもできる。
【００３９】
なお、スポンジ状閉塞部材を備えた眼鏡曇り止め用薄膜片を用いる場合、予め、前記弾性折曲片部の左右方向中央部（鼻の頂部に当たる部分）に切欠部を形成しておき、前記スポンジ状閉塞部材が顔面側に位置するように、前記弾性折曲片部を前記マスクの上端あたりで折り曲げるとともに、スポンジ状閉塞部材における前記切欠部上に位置している部位をマスク（の裏面）側に押し付け、前記スポンジ状閉塞部材の裏面に施された接着剤もしくは両面テープのうちの前記切欠部から外部に露出している部分により、前記スポンジ状閉塞部材の左右方向中央部分を前記マスクの裏面上部に接着固定しておけば、マスクを装着する際に、弾性折曲片部を折り曲げる等の手間がかからず便利である。
【００４０】
この場合、スポンジ状閉塞部材の左右方向中央部（鼻の頂部に当たる部分）はマスクに接着固定されていても、スポンジ状閉塞部材及び弾性折曲片部の左右方向中央部以外の両翼部分は、弾性折曲片部の折り曲げ部分の弾性復元力により、マスク裏面から遠ざかるように羽根状に開いた状態となるので、マスク装着時には、スポンジ状閉塞部材の先端面部全体が顔面に押し付けられ、前記隙間を確実に塞ぐことができる。
【発明を実施するための最良の形態】
【００４１】
以下、本発明の実施の形態を図面を参照しながら説明する。
【００４２】
図１は、本発明に係る眼鏡曇り止め用薄膜片の第１実施形態を市販のマスクに取り付け、該マスクを顔面に装着した状態を示す斜視図、図２は、前記眼鏡曇り止め用薄膜片をマスクに取り付けた状態を示す正面図、図３は、図１、図２に示されるマスクを示す平面図、図４は、図１、図２に示される眼鏡曇り止め用薄膜片を示す図である。
【００４３】
本実施形態の眼鏡曇り止め用薄膜片２０は、口及び鼻孔を覆うマスク１０に取り付けられるもので、一般に市販されているマスク、つまり、概略矩形状（長方形）でその両端部にゴム等からなる耳掛け１２が取り付けられ、不織布、ガーゼ、さらし木綿等の通気性を有する素材を単独あるいは適宜組み合わせて単層ないし多層構造とした、プリーツ状のものを含む略全部に適用できる。
【００４４】
前記眼鏡曇り止め用薄膜片２０は、通気性を有さず、かつ、適度の弾性及び可撓性を有する素材から作製され、前記マスク１０の上部を覆うようにその外表面側に取り付けられる細長方形の外装基体部２１と、該外装基体部２１の上端から上方に突出して延設され、前記マスク１０の上端縁１０ａと鼻５と両頬６、６との間に形成される隙間Ｓ、Ｓ（図１２も参照）を塞ぐべく、前記基体部２１の上端辺りから内方側に折り曲げられる弾性折曲片部２２と、を備えている。この眼鏡曇り止め用薄膜片２０は、素材として、具体的には、図４（Ｃ）に示される如くに、通気性を有さないプラスチックフィルム（例えばポリエチレンフィルム、ポリプロピレンフィルム）２７の両面に不織布２６、２６を積層してなるシート材料が使用されている。
【００４５】
また、前記弾性折曲片部２２の左右方向中央部に、鼻５を両側から挟み得るようにＶ字状切欠部２３が形成され、さらにその両端部に丸み２４、２４が付けられている。
【００４６】
前記外装基体部２１は、横幅が前記マスク１０の横幅と同じか、それより若干短くされ、縦幅が前記マスク１０の縦幅の１／４ないし１／２程度とされる。
【００４７】
また、図４（Ａ）、（Ｂ）に示される如くに、前記外装基体部２１の裏面の両端部に、接着剤２５が塗布されており、この接着剤２５部分が台紙２９に貼り付けられた状態で製品として出荷される。
【００４８】
このような構成とされた本実施形態の眼鏡曇り止め用薄膜片２０を使用するにあたっては、前記台紙２９を剥がして、外装基体部２１の裏面両端部（接着剤２５部分）をマスク１０の上部の両端部近くに貼り付ける。この際、外装基体部２１の上端とマスク１０の上端１０ａとを略一致させ、図５に示される如くに、それらの上端から上方に突出している左右の弾性折曲片部２２、２２を内側に８０度〜１２０度程度折り曲げる（折り曲げ部分２２ａ）。
【００４９】
そして、前記のように弾性折曲片部２２、２２を内側に折り曲げた状態でマスク１０を顔面に装着すると、図６に示される如くに、弾性折曲片部２２、２２の先端部２２ｂが頬６、６に当接して、該頬６、６の輪郭形状に合わせて下向きに折り曲げられるとともに、弾性折曲片部２２、２２のＶ字状切欠部２３が鼻５を両側から挟んだ状態となり、図１に示される如くに（図１２も参照）、マスク１０の上端縁１０ａと鼻５と両頬６、６との間に形成される隙間Ｓ、Ｓが当該弾性折曲片部２２の弾性と可塑性の作用により略完全に閉塞される。
【００５０】
このように、弾性折曲片部２２により前記隙間Ｓ、Ｓが閉塞されると、図６に示される如くに、マスク１０の内側を通って上昇する呼気Ｋは弾性折曲片部２２によりその上昇が阻止されるので、呼気Ｋが眼鏡８に達することはない。また、吐き出された呼気Ｋによりマスク１０内の空気圧は高められるが、マスク１０の上部（鼻５の辺り）は、通気性を有さない外装基体部２１で覆われているので、呼気Ｋがマスク１０の上部で内側から外側へ抜けることはなく、呼気Ｋはマスク１０の下部（口４の辺り）で内側から外側へ抜ける。このため、マスク１０を抜け出た呼気は、ほとんど眼鏡８に達することはない。
【００５１】
このように、本実施形態の眼鏡曇り止め用薄膜片２０をマスク１０に取り付けることにより、マスク１０の上端縁１０ａと鼻５と両頬６、６との間に形成される隙間Ｓ、Ｓを確実に塞ぐことができて、眼鏡の曇りを効果的に軽減ないし解消することができる。
【００５２】
また、眼鏡曇り止め用薄膜片の素材として、例えば、通気性を有さないプラスチックフィルムの両面に不織布を積層してなる材料を使用することにより、結露等による肌触り、装着感等をさほど低下させることがないようにできる。
【００５３】
さらに、眼鏡曇り止め用薄膜片２０によって前記隙間Ｓ、Ｓが閉塞されるので、外部からマスク１０内に花粉や塵埃が侵入するのを防止することもできる。
【００５４】
次に、本発明に係る眼鏡曇り止め用薄膜片及びマスクの第２実施形態を説明する。
【００５５】
図７（Ａ）は、本発明に係る眼鏡曇り止め用薄膜片の第２実施形態を市販のマスク１０に取り付けた状態を示す正面図、図７（Ｂ）は、（Ａ）のＸ−Ｘ矢視線に従う拡大断面図である。
【００５６】
本第２実施形態の眼鏡曇り止め用薄膜片２０’は、前記した第１実施形態と略同じ構成の外装基体部２１と弾性折曲片部２２’とに加えて、前記弾性折曲片部２２’と協働して前記マスク１０の上端縁１０ａと鼻と両頬との間に形成される隙間Ｓ、Ｓを塞ぐべく、前記弾性折曲片部２２’に取り付けられた、適度の伸縮性及び形状復元力を有するスポンジ状閉塞部材３０を備えている。
【００５７】
このスポンジ状閉塞部材３０は、素材として、例えば、ポリエチレン、ポリウレタン、ゴムフォーム等の合成樹脂の発泡体が用いられて作製され、図７に加えて、弾性折曲片部２２’の折り曲げ時の様子を示す図８を参照すればよくわかるように、呼気の通過を阻止できる縦幅Ｌ（ここでは、約１０ｍｍ）を有し、かつ、顔面（鼻と両頬）に密着し得るように、２つの緩やかな山状部３２、３２と谷状部３３を持つ平面視波形状とされ、山状部３２、３２の高さＨはここでは約１０ｍｍとされている。なお、スポンジ状閉塞部材３０の大きさ、形状等は、材質等に応じて適宜変更してもよい。
【００５８】
また、スポンジ状閉塞部材３０は、弾性折曲片部２２’、２２’における表面側の若干上端寄りの部位に接着剤３５で貼り付けられている。
【００５９】
このスポンジ状閉塞部材３０が接着剤３５で貼り付けられる弾性折曲片部２２’、２２’の左右方向中央部には、前記第１実施形態の切欠部２３とは機能及び形状が異なる矩形の切欠部２７が形成されている。この切欠部２７は、後述するように、前記スポンジ状閉塞部材３０の裏面に塗工されている接着剤３５を外部に露出させるために形成されている。
【００６０】
このような構成とされた本第２実施形態の眼鏡曇り止め用薄膜片２０’においても、前記第１実施形態と同様に、外装基体部２１の裏面両端部（接着剤２５部分）をマスク１０の上部の両端部近くに貼り付け、その上端から上方に突出している弾性折曲片部２２’、２２’を内側に、前記第１実施形態のものより大きく（１２０度以上）折り曲げる（折り曲げ途中を示す図８参照）。
【００６１】
このように折り曲げると、スポンジ状閉塞部材３０が顔面側に位置する。ここで、本実施形態では、スポンジ状閉塞部材３０が顔面側に位置するように、弾性折曲片部２２’、２２’をマスク１０の上端縁１０ａあたりで折り曲げる（折り曲げ部分２２ａ）とともに、図９に示される如くに、スポンジ状閉塞部材３０における前記切欠部２７上に位置している部位をマスク１０（の裏面）側に押し付け、スポンジ状閉塞部材３０の裏面に塗工された接着剤３５のうちの前記切欠部２７から外部に露出している部分により、前記スポンジ状閉塞部材３０の左右方向中央部分（谷状部３３）を前記マスク１０の裏面上部に接着固定しておくようにされる。このようにされることにより、マスク１０を装着する際に、弾性折曲片部２２’、２２’を折り曲げる等の手間がかからず便利である。
【００６２】
この場合、スポンジ状閉塞部材３０の左右方向中央部（鼻の頂部に当たる谷状部分）３３はマスク１０に接着固定されていても、スポンジ状閉塞部材３０及び弾性折曲片部２２’、２２’の左右方向中央部以外の両翼部分は、弾性折曲片部２２’、２２’の折り曲げ部分２２ａの弾性復元力により、マスク１０の裏面から遠ざかるように羽根状に開いた状態（図９参照）となるので、マスク１０装着時には、スポンジ状閉塞部材３０の先端面部全体が顔面に押し付けられることになる。
【００６３】
より詳細には、マスク１０を顔面に装着すると、図１０、図１１に示される如くに、弾性折曲片部２２’、２２’の折り曲げ部分２２ａの弾性（復元力）により、スポンジ状閉塞部材３０が顔面側に押され、スポンジ状閉塞部材３０の先端面部（平面視外形が緩やかな波形状とされている）が顔面（鼻５と両頬６、６）に押し付けられて、該顔面の輪郭形状に合わせて若干圧縮変形せしめられる。これにより、弾性折曲片部２２’、２２’とスポンジ状閉塞部材３０とで、マスク１０の上端縁１０ａと鼻５と両頬６、６との間に形成される隙間Ｓ、Ｓが完全に閉塞される（図１２も参照）。
【００６４】
このように、弾性折曲片部２２’、２２’とスポンジ状閉塞部材３０により前記隙間Ｓ、Ｓが閉塞されると、マスク１０の内側を通って上昇する呼気Ｋは弾性折曲片部２２’、２２’及びスポンジ状閉塞部材３０によりその上昇が阻止されるので、呼気が眼鏡に達することはない。また、吐き出された呼気Ｋによりマスク１０内の空気圧は高められるが、マスク１０の上部（鼻５の辺り）は、通気性を有さない外装基体部２１で覆われているので、呼気Ｋがマスク１０の上部で内側から外側へ抜けることはなく、呼気Ｋはマスク１０の下部（口４の辺り）で内側から外側へ抜ける。このため、マスクを抜け出た呼気Ｋは、ほとんど眼鏡８に達することはない。
【００６５】
したがって、かかる構成の眼鏡曇り止め用薄膜片２０’をマスク１０に取り付けることにより、前記した第１実施形態と同様に、マスク１０の上端縁１０ａと鼻５と両頬６、６との間に形成される隙間Ｓ、Ｓを確実に塞ぐことができて、眼鏡の曇りを効果的に軽減ないし解消することができる。
【００６６】
この場合、本実施形態の眼鏡曇り止め用薄膜片２０’では、弾性折曲片部２２’、２２’とスポンジ状閉塞部材３０とが協働して、言い換えれば、顔面の形状、大きさに合わせて、弾性折曲片部２２’、２２’の折り曲げ部分２２ａが弾性変形（折り曲がり角度が変化）するとともにスポンジ状閉塞部材３０が圧縮変形するので、スポンジ状閉塞部材のみを設けた場合に比して、顔面の形状、大きさに対する対応範囲が広くなるとともに、前記隙間Ｓ、Ｓ閉塞の確実性が格段に向上する。
【００６７】
また、顔面に接触する部分がスポンジ状閉塞部材３０であることから、結露等による肌触り、装着感等をさほど低下させることがないようにできる。
【００６８】
さらに、当該眼鏡曇り止め用薄膜片２０’によって前記隙間Ｓ、Ｓが閉塞されるので、外部からマスク内に花粉や塵埃が侵入するのを防止することもできる。
【００６９】
なお、上記第２実施形態では、予め、スポンジ状閉塞部材３０の左右方向中央部分（谷状部３３）を切欠部２７を介してマスク１０の裏面上部に接着固定するようにされているが、必ずしもこのようにする必要はなく、また、接着固定方法も前記とは異なる方法を採用してもよい。
【００７０】
なお、前記実施形態では、眼鏡曇り止め用薄膜片２０とマスク１０とは、別体とされて
眼鏡曇り止め用薄膜片２０、２０’の外装基体部２１の裏面両端部（接着剤２５部分）をマスク１０の上部の両端部近くに貼り付けるようにされているが、これに限られる訳ではなく、マスク１０の上部に眼鏡曇り止め用薄膜片（の外装基体部）を最初から一体に設けてもよい。
【００７１】
また、眼鏡曇り止め用薄膜片（の外装基体部）のマスクへの取り付け方ないし一体化方法としては、前記のように、外装基体部の裏面両端部（接着剤部分）を接着する方法以外の、縫合、溶着等の他の接合方法を採用してもよい。さらに、接合箇所も裏面両端部に限られることなく、例えば、四隅、上下の端部、あるいは、両端部に加えて中央部等にしてもよく、さらには、外装基体部全体を接合するようにしてもよい。
【図面の簡単な説明】
【００７２】
【図１】本発明に係る眼鏡曇り止め用薄膜片の第１実施形態を市販のマスクに取り付け、該マスクを顔面に装着した状態を示す斜視図。
【図２】第１実施形態の眼鏡曇り止め用薄膜片をマスクに取り付けた状態を示す正面図。
【図３】図１、図２に示されるマスクを示す平面図。
【図４】第１実施形態の眼鏡曇り止め用薄膜片を示し、（Ａ）は表面図、（Ｂ）は裏面図、（Ｃ）は拡大断面図。
【図５】第１実施形態の眼鏡曇り止め用薄膜片の使い方の説明に供される図。
【図６】図１に示されるマスク装着状態の説明に供される部分切欠拡大図。
【図７】（Ａ）は、本発明に係る眼鏡曇り止め用薄膜片の第２実施形態を市販のマスクに取り付けた状態を示す正面図、（Ｂ）は、（Ａ）のＸ−Ｘ矢視線に従う拡大断面図。
【図８】第２実施形態における弾性折曲片部の折り曲げ時の様子を示す斜視図。
【図９】第２実施形態における弾性折曲片部の折り曲げ後の様子を示す拡大平面図。。
【図１０】第２実施形態を市販のマスクに取り付け、該マスクを顔面に装着した状態を示す斜視図。
【図１１】図１０に示されるマスク装着状態の説明に供される部分切欠拡大図。
【図１２】従来のマスク装着時に生じる眼鏡の曇りの説明に供される斜視図。
【符号の説明】
【００７３】
５      鼻
６      頬
８      眼鏡
１０    マスク
１０ａ  上端縁
１２    耳掛け
２０    眼鏡曇り止め用薄膜片（第１実施形態）
２０’  眼鏡曇り止め用薄膜片（第２実施形態）
２１    外装基体部
２２    弾性折曲片部（第１実施形態）
２２’  弾性折曲片部（第２実施形態）
２２ａ  折り曲げ部分
２３    切欠部（第１実施形態）
２７    切欠部（第２実施形態）
２５    接着剤
２９    台紙
３０    スポンジ状閉塞部材
３２    山状部
３３    谷状部
３５    接着剤
Ｓ      隙間
【図１】
2009066382.tif 000003
【図２】
2009066382.tif 000004
【図３】
2009066382.tif 000005
【図４】
2009066382.tif 000006
【図５】
2009066382.tif 000007
【図６】
2009066382.tif 000008
【図７】
2009066382.tif 000009
【図８】
2009066382.tif 000010
【図９】
2009066382.tif 000011
【図１０】
2009066382.tif 000012
【図１１】
2009066382.tif 000013
【図１２】
2009066382.tif 000014